(57)【特許請求の範囲】
【請求項１】
戸の開き動作及び閉じ動作の少なくとも一方をアシストする戸開閉装置の本体部及び受具の一方が戸に取り付けられ、枠に取り付けられる前記本体部及び前記受具の他方と協働する戸開閉装置付き戸であって、
表面に段差がある戸と、
前記戸の前記段差を挟んだ高低差の異なる表面に取り付けられる前記戸開閉装置の前記本体部及び前記受具の一方と、
前記戸開閉装置の前記本体部及び前記受具の一方と前記戸の低い方の表面との間に介在し、段差分のすきまを埋める戸開閉装置用スペーサと、を備える戸開閉装置付き戸。
【請求項２】
前記戸開閉装置用スペーサは一枚の単位スペーサ、又は重ね合わせた複数枚の単位スペーサから構成されることを特徴とする請求項１に記載の戸開閉装置付き戸。
【請求項３】
前記単位スペーサは、
板状のスペーサ本体と、
前記スペーサ本体の、前記戸開閉装置の前記本体部及び前記受具の一方に対向する面に形成される凸部又は凹部と、を備え、
前記戸開閉装置の前記本体部及び前記受具の一方を前記戸に対して一方向に位置調整するとき、前記単位スペーサが前記戸開閉装置の前記本体部及び前記受具の一方と一緒に前記一方向に移動するように、前記戸開閉装置の前記本体部及び前記受具の一方に前記単位スペーサの前記凸部又は前記凹部が嵌まることを特徴とする請求項２に記載の戸開閉装置付き戸。
【請求項４】
前記単位スペーサはさらに、
前記スペーサ本体の、前記戸開閉装置の前記本体部及び前記受具の一方に対向する面と反対側の面に形成されるスペーサ用凸部又はスペーサ用凹部を備え、
前記戸開閉装置の前記本体部及び前記受具の一方を前記戸に対して一方向に位置調整するとき、前記単位スペーサに重ね合わされた他の単位スペーサが前記単位スペーサと一緒に前記一方向に移動するように、前記他の単位スペーサに前記単位スペーサの前記スペーサ用凸部又は前記スペーサ用凹部が嵌まることを特徴とする請求項３に記載の戸開閉装置付き戸。
【請求項５】
前記単位スペーサはさらに、前記スペーサ本体に形成され、前記戸開閉装置の前記本体部及び前記受具の一方を前記戸に取り付けるための締結部材が通される長孔を備え、
前記長孔の伸びる方向が前記一方向であることを特徴とする請求項３又は４に記載の戸開閉装置付き戸。
【請求項６】
戸の開き動作及び閉じ動作の少なくとも一方をアシストする戸開閉装置の本体部及び受具の一方と戸との間に介在する戸開閉装置用スペーサであって、
板状のスペーサ本体と、
前記スペーサ本体の、前記戸開閉装置の前記本体部及び前記受具の一方に対向する面に形成される凸部又は凹部と、
前記スペーサ本体に形成され、前記戸開閉装置の前記本体部及び前記受具の一方を前記戸に取り付けるための締結部材が通される長孔と、を備え、
前記戸開閉装置の前記本体部及び前記受具の一方を前記戸に対して前記長孔の伸びる方向に位置調整するとき、前記戸開閉装置用スペーサが前記戸開閉装置の前記本体部及び前記受具の一方と一緒に前記長孔の伸びる方に移動するように、前記戸開閉装置の前記本体部及び前記受具の一方に前記戸開閉装置用スペーサの前記凸部又は前記凹部が嵌まる戸開閉装置用スペーサ。
【発明の詳細な説明】
【技術分野】
【０００１】
本発明は、建築物や家具の扉や引き戸の開閉動作をアシストする戸開閉装置を取り付けた戸開閉装置付き戸及び戸開閉装置と戸との間に介在する戸開閉装置用スペーサに関する。
【背景技術】
【０００２】
建築物や家具の戸は、扉や引き戸に分類することができる。扉は回転して開く戸である。引き戸は鴨居や敷居から構成される枠の溝を滑らせることによって、左右に開閉する戸である。
【０００３】
これらの戸の開閉動作の少なくとも一方をアシストする戸開閉装置が知られている。戸開閉装置は、一般的にはドアクローザーと呼ばれていて、戸及び枠の一方に取り付けられる本体部と、戸及び枠の他方に取り付けられる受具と、を備える。戸開閉装置の本体部及び受具は、互いに協働して、閉まりきらない状態の戸が完全に閉まるように戸の閉じ動作をアシストしたり、風等で戸が勢いよく閉められるときの衝撃を緩和したり、戸の開き動作をアシストしたりする。
【０００４】
この種の戸開閉装置として、特許文献１には、枠に取り付けられる戸開閉装置の本体部が、垂直線の回りを回転可能なアームを有する戸開閉装置が開示されている。開いた状態の扉が閉まり、扉に取り付けた受具がアームに係合すると、扉が完全に閉まるようにアームが受具を引き込む。本体部には扉が閉まる時の衝撃を緩和するダンパが内蔵される。逆に閉じた状態の扉が所定角度まで開くと、自動的に扉が開くようにアームが受具に付勢力を与える。アームが扉を開閉させる力は、本体部に内蔵されるコイルばねによって与えられる。
【先行技術文献】
【特許文献】
【０００５】
【特許文献１】国際公開ＷＯ２０１１／０２１４１４号公報
【発明の概要】
【発明が解決しようとする課題】
【０００６】
ところで、扉や引き戸の表面には装飾のために模様としての段差が付けられることがある。この段差を挟んで高低差のある戸の表面に戸開閉装置の本体部及び受具の一方を取り付けると、戸開閉装置の本体部及び受具の一方が曲がって取り付けられてしまう。そうすると、戸開閉装置の円滑な動作が阻害されたり、見栄えが悪くなったりするという問題が発生する。段差に合わせて特別仕様の戸開閉装置を製造することも考えられるが、段差に合わせて多種の製品を製造する必要があり、現実的でない。
【０００７】
そこで、本発明は、段差のある戸の表面に戸開閉装置の本体部及び受具の一方を取り付けることが可能な戸開閉装置付き戸及び戸開閉装置用スペーサを提供することを目的とする。
【課題を解決するための手段】
【０００８】
上記課題を解決するために、本発明の第一の態様は、戸の開き動作及び閉じ動作の少なくとも一方をアシストする戸開閉装置の本体部及び受具の一方が戸に取り付けられ、枠に取り付けられる前記本体部及び前記受具の他方と協働する戸開閉装置付き戸であって、
表面に段差がある戸と、前記戸の前記段差を挟んだ高低差の異なる表面に取り付けられる前記戸開閉装置の前記本体部及び前記受具の一方と、前記戸開閉装置の前記本体部及び前記受具の一方と前記戸の低い方の表面との間に介在し、段差分のすきまを埋める戸開閉装置用スペーサと、を備える戸開閉装置付き戸である。
【０００９】
本発明の第二の態様は、上記第一の態様の戸開閉装置付き戸において、前記戸開閉装置用スペーサは一枚の単位スペーサ、又は重ね合わせた複数枚の単位スペーサから構成されることを特徴とする。
【００１０】
本発明の第三の態様は、上記第二の態様の戸開閉装置付き戸において、前記単位スペーサは、板状のスペーサ本体と、前記スペーサ本体の、前記戸開閉装置の前記本体部及び前記受具の一方に対向する面に形成される凸部又は凹部と、を備え、前記戸開閉装置の前記本体部及び前記受具の一方を前記戸に対して一方向に位置調整するとき、前記単位スペーサが前記戸開閉装置の前記本体部及び前記受具の一方と一緒に前記一方向に移動するように、前記戸開閉装置の前記本体部及び前記受具の一方に前記単位スペーサの前記凸部又は前記凹部が嵌まることを特徴とする。
【００１１】
本発明の第四の態様は、上記第三の態様の戸開閉装置付き戸において、前記単位スペーサはさらに、前記スペーサ本体の、前記戸開閉装置の前記本体部及び前記受具の一方に対向する面と反対側の面に形成されるスペーサ用凸部又はスペーサ用凹部を備え、前記戸開閉装置の前記本体部及び前記受具の一方を前記戸に対して一方向に位置調整するとき、前記単位スペーサに重ね合わされた他の単位スペーサが前記単位スペーサと一緒に前記一方向に移動するように、前記他の単位スペーサに前記単位スペーサの前記スペーサ用凸部又は前記スペーサ用凹部が嵌まることを特徴とする。
【００１２】
本発明の第五の態様は、上記第三の態様又は上記第四の態様の戸開閉装置付き戸において、前記単位スペーサはさらに、前記スペーサ本体に形成され、前記戸開閉装置の前記本体部及び前記受具の一方を前記戸に取り付けるための締結部材が通される長孔を備え、前記長孔の伸びる方向が前記一方向であることを特徴とする。
【００１３】
本発明の第六の態様は、戸の開き動作及び閉じ動作の少なくとも一方をアシストする戸開閉装置の本体部及び受具の一方と戸との間に介在する戸開閉装置用スペーサであって、板状のスペーサ本体と、前記スペーサ本体の、前記戸開閉装置の前記本体部及び前記受具の一方に対向する面に形成される凸部又は凹部と、前記スペーサ本体に形成され、前記戸開閉装置の前記本体部及び前記受具の一方を前記戸に取り付けるための締結部材が通される長孔と、を備え、前記戸開閉装置の前記本体部及び前記受具の一方を前記戸に対して前記長孔の伸びる方向に位置調整するとき、前記戸開閉装置用スペーサが前記戸開閉装置の前記本体部及び前記受具の一方と一緒に前記長孔の伸びる方に移動するように、前記戸開閉装置の前記本体部及び前記受具の一方に前記戸開閉装置用スペーサの前記凸部又は前記凹部が嵌まる戸開閉装置用スペーサである。
【発明の効果】
【００１４】
本発明の第一の態様によれば、段差があっても戸の表面に平行に戸開閉装置の本体部及び受具の一方を取り付けることができる。したがって、戸開閉装置を円滑に動作させることができ、取り付けた戸開閉装置の見栄えをよくすることができる。
【００１５】
本発明の第二の態様によれば、戸によって段差の高さが異なっても、戸の表面に平行に戸開閉装置の本体部及び受具の一方を取り付けることができる。
【００１６】
本発明の第三の態様によれば、戸開閉装置の本体部及び受具の一方を戸に対して一方向に位置調整するとき、戸開閉装置用スペーサが戸開閉装置の本体部及び受具の一方に対して位置ずれするのを防止できる。このため、位置調整が容易になり、また見栄えが悪くなるのを防止できる。
【００１７】
本発明の第四の態様によれば、重ね合わせた複数枚の単位スペーサが戸開閉装置の本体部及び受具の一方と一緒に一方向に移動するので、複数枚の戸開閉装置用スペーサが戸開閉装置の本体部及び受具の一方に対して位置ずれするのを防止できる。このため、位置調整が容易になり、また見栄えが悪くなるのを防止できる。
【００１８】
本発明の第五の態様によれば、戸開閉装置の本体部及び受具の一方を戸開閉装置用スペーサと一緒に長孔の伸びる方向に位置調整することができる。
【００１９】
本発明の第六の態様によれば、戸の表面に段差があっても、戸の表面に平行に戸開閉装置の本体部及び受具の一方を取り付けることができる。また、戸開閉装置の本体部及び受具の一方を戸に対して戸開閉装置用スペーサの長孔の伸びる方向に位置調整するとき、戸開閉装置用スペーサが戸開閉装置の本体部及び受具の一方と一緒に長孔の伸びる方向に移動するので、戸開閉装置用スペーサが戸開閉装置の本体部及び受具の一方に対して位置ずれするのを防止できる。
【図面の簡単な説明】
【００２０】
【図１】本発明の一実施形態の戸開閉装置付き戸としての受具付き扉の斜視図（図１（ａ）は受具付き扉が閉じた状態を示し、図１（ｂ）は受具付き扉が開き始めた状態を示す。）
【図２】戸開閉装置の本体部の分解斜視図
【図３】、受具付き扉の斜視図（図３（ａ）は受具３に受具カバー２１が取り付けられた状態を示し、図３（ｂ）は受具カバー２１が取り外された状態を示す。）
【図４】受具付き扉の分解斜視図
【図５】受具の詳細図を示す（図５（ａ）は受具の正面図を示し、図５（ｂ）は図５（ａ）のＢ−Ｂ線断面図を示し、図５（ｃ）は図５（ａ）のＣ−Ｃ線断面図を示す。）
【図６】戸開閉装置用スペーサの斜視図（図６（ａ）は受具側（正面側）の斜視図を示し、図６（ｂ）は受具とは反対側（背面側）の斜視図を示す。）
【図７】戸開閉装置用スペーサの詳細図（図７（ａ）は平面図を示し、図７（ｂ）は図７（ａ）のＢ−Ｂ線断面図を示し、図７（ｃ）は図７（ａ）のＣ−Ｃ線断面図を示し、図７（ｄ）は図７（ａ）のＤ−Ｄ線断面図を示す。）
【図８】受具付き扉の詳細図（図８（ａ）は正面図を示し、図８（ｂ）は図８（ａ）のＢ−Ｂ線断面図を示し、図８（ｃ）は図８（ａ）のＣ−Ｃ線断面図を示し、図８（ｄ）は図８（ａ）のＤ−Ｄ線断面図を示す。）
【図９】受具付き扉の分解斜視図（戸開閉装置用スペーサとして二枚の単位スペーサを重ねた例を示す）
【図１０】受具付き扉の水平断面図
【発明を実施するための形態】
【００２１】
以下添付図面に基づいて、本発明の一実施形態の戸開閉装置付き戸、及び戸開閉装置用スペーサを詳細に説明する。図１は、本発明の一実施形態の戸開閉装置付き戸としての受具付き扉の斜視図を示す。図１（ａ）は受具付き扉が閉じた状態を示し、図１（ｂ）は受具付き扉が開き始めた状態を示す。この実施形態では、戸開閉装置１の本体部２を枠５に、受具３を扉４に取り付けている。受具３が取り付けられた扉４が戸開閉装置付き戸を構成する。
【００２２】
戸開閉装置１の本体部２は、枠５に取付けられる。本体部２には、引込みアーム６がその基部を中心に回転可能に設けられる。引込みアーム６の先端には、ローラ７（図２参照）が回転可能に設けられる。引込みアーム６のローラ７は、受具３に形成された溝部８ａに嵌合する。
【００２３】
図２は、本体部２の分解斜視図を示す。本体部２は、一方向に細長い直方体形状の本体ケース１１と、本体ケース１１に回転可能に取り付けられる引込みアーム６と、本体ケース１１及び引込みアーム６を覆う化粧カバー１２と、を備える。本体ケース１１には、二つの通し孔１１ａが空けられている。二つの通し孔１１ａに木ねじ、止めねじ等の締結部材１４を通し、締結部材１４を枠５にねじ込むことにより、本体ケース１１が枠５に取り付けられる。
【００２４】
本体ケース１１の底面にはアーム軸１５が露出する。アーム軸１５の中心部には、嵌合穴１５ａが形成される。アーム軸１５の嵌合穴１５ａには、引込みアーム６の嵌合軸６ａが嵌合する。アーム軸１５の嵌合穴１５ａに引込みアーム６の嵌合軸６ａを嵌合させた後、アーム軸１５と引込みアーム６とはボルト等の締結部材１７によって結合される。引込みアーム６は、アーム軸１５を中心として回転する。引込みアーム６の先端にはローラ７が回転可能に設けられる。このローラ７は受具３の溝部８ａに嵌まり、引込みアーム６の力を受具３に伝える。引込みアーム６の基部はアームカバー１８によって覆われる。
【００２５】
化粧カバー１２は、本体ケース１１の上面以外の全面を覆うように、箱形状に形成される。化粧カバー１２は樹脂の成型品である。化粧カバー１２の底壁には、引込みアーム６の回転を許容する半円形状の切欠き１２ａが形成される。
【００２６】
なお、図示しないが、本体ケース１１の内部には、扉４が自動的に閉まるように引込みアーム６に付勢力を与えるコイルばね等の付勢機構、及び扉４がゆっくり閉まるように引込みアーム６の回転を制動するダンパが収納される。図１（ａ）に示すように、扉４が閉じた状態では、付勢機構は引込みアーム６に閉じる方向に付勢力を与える。これにより、扉４が閉じた状態が保たれる。
【００２７】
図１（ｂ）に示すように、閉じた状態の扉４を開くとき、扉４の開き動作に伴って、引込みアーム６が開く方向に回転する。引込みアーム６が思案点をすぎるまで回転すると、付勢機構が引込みアーム６に反対に開く方向の付勢力を与える。これにより、扉４の開き動作をアシストできる。扉４が全開近くまで開くと、引込みアーム６のローラ７が受具３の溝部８ａから外れ、扉４がフリーになる。引込みアーム６は、受具３から離れ、所定の角度開いた状態を保つ。
【００２８】
逆に、全開状態の扉４を閉めるとき、扉４が所定角度まで閉じると、受具３の溝部８ａが開いた状態の引込みアーム６のローラ７に接近し、溝部８ａに引込みアーム６のローラ７が入るようになる。扉４をさらに閉めると、扉４の閉じ動作に伴って、引込みアーム６が閉じる方向に回転する。引込みアーム６が思案点をすぎるまで回転すると、付勢機構が引込みアーム６に閉じる方向の付勢力を与える。これにより、扉４の閉じ動作をアシストできる。扉４が完全に閉じるとき、ダンパが引込みアーム６の回転を制動するので、扉４がゆっくり閉まる。
【００２９】
図３は、受具３付き扉４の斜視図を示す。図３（ａ）は受具３に受具カバー２１が取り付けられた状態を示し、図３（ｂ）は受具カバー２１が取り外された状態を示す。扉４の上部には、扉４の上端まで垂直方向に伸びる段差４ａが形成される。受具３は水平方向に細長く伸び、段差４ａを跨るように扉４に取り付けられる。段差４ａによって扉４の表面は高低差の異なる平面に区画される。すなわち、扉４の表面は、手前側にある第一の平面４−１（高い方の平面）と、第一の平面４−１よりも僅かに奥側にある第二の平面４−２（低い方の平面）とに区画される。
【００３０】
図４は、受具３付き扉４の分解斜視図を示す。受具３の水平方向の一端側の取付け部９−２は直接第一の平面４−１に取り付けられる。受具３の水平方向の他端側の取付け部９−１は戸開閉装置用スペーサ２４を介して第二の平面４−２に取り付けられる。戸開閉装置用スペーサ２４は段差の高低差と同じ厚みを持ち、受具３が扉４の表面に平行に取り付けられるように段差分のすきまを埋める。
【００３１】
受具３の構成は以下のとおりである。図５は受具３の詳細図を示す。図５（ａ）は受具３の正面図を示し、図５（ｂ）は図５（ａ）のＢ−Ｂ線断面図を示し、図５（ｃ）は図５（ａ）のＣ−Ｃ線断面図を示す。
【００３２】
受具３は、引込みアーム６の先端のローラ７が嵌まる溝部８ａが形成される受具本体８と、受具本体８が取り付けられる取付けステー９と、受具本体８及び取付けステー９を覆う受具カバー２１（図４参照）と、を備える。
【００３３】
受具本体８は、水平方向に細長く伸びる。受具本体８の上面には、受具本体８の長手方向に沿って伸びる溝部８ａが形成される。溝部８ａを形成することによって、受具本体８には、互いに平行な手前側の第一の壁部８−１と、奥側の第二の壁部８−２と、が形成される。溝部８ａはその一端部（図５（ｂ）中左端部）で手前側に折れ曲がっており、第一の壁部８−１が一端部（図中左端部）で切り欠かれている。引込みアーム６のローラ７は、第一の壁部８−１の切り欠かれた部分８ａ１を介して溝部８ａに出入りする。図４に示すように、受具カバー２１には、受具本体８の溝部８ａよりもやや大きい切欠き部２１ａが形成されており、受具カバー２１が引込みアーム６の動きを妨げないようにしている。
【００３４】
図５に示すように、取付けステー９は板を曲げ加工することにより形成される。取付けステー９の両端部には、木ねじ、止めねじ等の締結部材２６（図４参照）によって受具３を扉４に取り付けるための取付け部９−１，９−２が形成される。取付け部９−１，９−２には、水平方向に細長い長孔９ａが形成される。取付けステー９の水平方向の位置は、長孔９ａの長さ内で調節される。
【００３５】
取付け部９−１，９−２の扉４側の取付け面９ｂは平面に形成される。取付け部９−１，９−２には凹部９ｃが形成される。凹部９ｃは上下方向に細長く伸びる溝からなる。凹部９ｃは取付け面９ｂよりも一段低く形成される。凹部９ｃには上下方向に細長い長孔９ｄが形成される。受具本体８は、取付けねじ３１及び取付けナット３２により取付けステー９に固定される。受具本体８の通し孔及び取付けステー９の長孔９ｄに取付けねじ３１を通し、取付けねじ３１に取付けナット３２を螺合させることで、受具本体８が取付けステー９に固定される。図５（ｂ）に示すように、凹部９ｃは、取付け面９ｂから取付けナット３２が突出するのを防止する機能を持つ。図５（ｃ）に示すように、凹部９ｃに上下方向に細長い長孔９ｄを形成することで、取付けステーに９対する受具本体８の上下方向の取付け位置を調整することができる。受具本体８の位置を固定するために、受具本体８と取付けステー９との接触面にはぎざぎざ３３が付けられる。
【００３６】
図６は、受具３と扉４との間に介在する戸開閉装置用スペーサ２４の斜視図を示す。図６（ａ）は受具３側（正面側）の斜視図を示し、図６（ｂ）は受具３とは反対側（背面側）の斜視図を示す。戸開閉装置用スペーサ２４は、四角形の板状のスペーサ本体２４ａと、水平方向に細長く伸びる上下一対の長孔２４ｃと、スペーサ本体２４ａの、受具３に対向する面に形成される枠状の凸部２４ｂと、受具３に対向する面と反対側の面に形成されるスペーサ用凹部２４ｄと、を備える。
【００３７】
スペーサ本体２４ａの四角形の大きさは、受具３の取付けステー９の取付け部９−１，９−２に合わせられる。図３（ｂ）に示すように、受具３の取付けステー９の取付け部９−１と戸開閉装置用スペーサ２４とを重ね合わせたとき、戸開閉装置用スペーサ２４は取付けステー９の取付け部９−１の周囲から僅かにはみ出す。図６に示すように、スペーサ本体２４ａの厚さは段差に合わせて３ｍｍ、２ｍｍ等に設定される。スペーサ本体２４ａの表面には、３ｍｍ、２ｍｍ等、スペーサ本体２４ａの厚さを表す文字２４ｅが付けられる。
【００３８】
図７は戸開閉装置用スペーサ２４の詳細図を示す。枠状に形成される凸部２４ｂは、スペーサ本体２４ａの表面から受具３に向かって突出する。凸部２４ｂの長辺側の二辺２４ｂ１は、断面が先端が尖った三角形に形成される。凸部２４ｂの短辺側の二辺２４ｂ２は、断面が四角形に形成される。戸開閉装置用スペーサ２４を受具３の取付けステー９に重ね合わせたとき、戸開閉装置用スペーサ２４の凸部２４ｂが受具３の取付けステー９の凹部９ｃに嵌まる（図４参照）。これにより、戸開閉装置用スペーサ２４が受具３に水平方向に位置決めされる。
【００３９】
図７に示すように、戸開閉装置用スペーサ２４に形成される長孔２４ｃは、受具３の取付けステー９に形成される長孔９ａ（図５（ａ）参照）と同じ大きさを持つ。戸開閉装置用スペーサ２４を受具３の取付けステー９に重ねたとき、これらに形成される長孔２４ｃ，９ａも同じ位置で重なる。この例では、図３に示すように、戸開閉装置用スペーサ２４が取付けステー９の右側の取付け部９−１に重なり、戸開閉装置用スペーサ２４の上側の長孔２４ｃが取付け部９−１の長孔９ａに重なる。ところで、戸開閉装置用スペーサ２４を左側の取付け部９−２に重ねる必要があるときは、戸開閉装置用スペーサを反転させる必要がある。右側の取付け部９−１の長孔９ａにも左側の取付け部９−２の長孔９ａにも、戸開閉装置用スペーサ２４の長孔２４ｃを重ねることができるように、戸開閉装置用スペーサ２４には上下一対の長孔２４ｃが形成される。
【００４０】
図６（ｂ）に示すように、戸開閉装置用スペーサ２４の裏面に形成されるスペーサ用凹部２４ｄは、底のある四角形に形成される。スペーサ用凹部２４ｄの四角形は、凸部２４ｂの四角形に対応している。図９に示すように、戸開閉装置用スペーサ２４は複数枚の単位スペーサ２４−１，２４−２から構成される場合もある。スペーサ用凹部２４ｄは複数枚の単位スペーサ２４−１，２４−２を重ねて戸開閉装置用スペーサ２４を構成する場合を考慮して形成される。単位スペーサ２４−１，２４−２を上下方向に重ねたとき、下側の単位スペーサ２４−２の凸部２４ｂが上側の単位スペーサ２４−１のスペーサ用凹部２４ｄに嵌まる。これにより、受具３を扉４に対して水平方向に位置調整するとき、重ねた合わせた複数枚の単位スペーサ２４−１，２４−２が受具３と一緒に水平方向に移動する。
【００４１】
図８は、段差のある扉４に戸開閉装置用スペーサ２４を介して取り付けた受具３を示す。戸開閉装置用スペーサ２４は段差と等しい厚みを持つ。戸開閉装置用スペーサ２４を扉の低い方の平面４−２に取り付けると、戸開閉装置用スペーサ２４の表面が扉の高い方の平面４−１と同じ高さになる。このため、受具３を扉４の表面と平行に取り付けることが可能になる。受具３の水平方向の位置を微調整するときは、締結部材２６を緩め、長孔９ａの伸びる水平方向に受具３を移動させる。このとき、戸開閉装置用スペーサ２４が受具３と一緒に水平方向に移動するので、戸開閉装置用スペーサ２４が受具３に対して位置ずれすることがない。受具本体８の垂直方向の位置を調整するときは、締結部材３１を緩め、取付けステー９の長孔９ｄの伸びる垂直方向に受具本体８を移動させる。
【００４２】
図９は、戸開閉装置用スペーサ２４として二枚の単位スペーサ２４−１，２４−２を重ね合わせた例を示す。扉４の表面の段差が大きく、一枚の単位スペーサ２４−１では不十分な場合、二枚の単位スペーサ２４−１，２４−２を重ねて使用する。二枚の単位スペーサ２４−１，２４−２を重ねた全体の厚みは、段差に等しく設定される。図１０に示すように、二枚の単位スペーサ２４−１，２４−２を扉４の低い方の平面４−２に取り付けると、単位スペーサ２４−１の表面が扉４の高い方の平面４−１と同じ高さになる。このため、受具３を扉４の表面と平行に取り付けることが可能になる。
【００４３】
なお、本発明は上記実施形態に限られることはなく、本発明の要旨を変更しない範囲でさまざまに変更可能である。
【００４４】
例えば、戸開閉装置の本体部を扉に取り付け、受具を枠に取り付けてもよい。この場合、戸開閉装置の本体部と扉との間に位置調整スペーサが介在する。
【００４５】
上記実施形態では、スペーサ本体に凸部を形成し、受具に凹部を形成しているが、これとは逆に、スペーサ本体に凹部を形成し、受具に凸部を形成してもよい。また、上記実施形態では、単位スペーサに他の単位スペーサに嵌まるスペーサ用凹部を形成しているが、他の単位スペーサに嵌まるスペーサ用凸部を形成してもよい。
【００４６】
戸開閉装置の本体部の内部部品はさまざまに変更可能であり、例えばダンパを省略することや、アームを回転させるリンク機構の替わりにラックアンドピニオン機構を用いることができる。引込みアームは本体ケースに対して回転しなくても、本体ケースに対して直線運動してもよい。
【００４７】
扉の低い方の平面と受具との間だけでなく、扉の高い方の平面と受具との間にも戸開閉装置用スペーサを介在させてもよい。
【００４８】
本発明は、戸開閉装置の本体部と受具とがリンクで連結されるドアクローザーにも適用することができる。ドアクローザーのリンクは、戸が開いた状態から閉じた状態まで常に本体部と受具とを連結する。
【００４９】
本発明は、扉の戸開閉装置だけでなく、引き戸の戸開閉装置にも適用することができる。
【符号の説明】
【００５０】
１…戸開閉装置
２…本体部
３…受具
４…扉（戸）
４ａ…段差
９ａ…長孔
２４…戸開閉装置用スペーサ，
２４−１，２４−２…単位スペーサ
２４ａ…スペーサ本体
２４ｂ…凸部
２４ｃ…長孔
２４ｄ…スペーサ用凹部
２６…締結部材
【図１】
0005385940.tif 000002
【図２】
0005385940.tif 000003
【図３】
0005385940.tif 000004
【図４】
0005385940.tif 000005
【図５】
0005385940.tif 000006
【図６】
0005385940.tif 000007
【図７】
0005385940.tif 000008
【図８】
0005385940.tif 000009
【図９】
0005385940.tif 000010
【図１０】
0005385940.tif 000011